(57)【要約】【課題】複数の収納部を蛇腹状に折り畳むことができるプラスチックのフィルムを使用した袋及びその製造方法並びに製造装置を提供する。【解決手段】境界６１〜６４では、表裏の一方でフィルムが密になっており、他方で隙間５１〜５４が交互に形成されている。境界６１に着目すると、表側は正面フィルム３１，３２が密になっており、裏側は背面フィルム４１，４２間に隙間５１が形成されている。このため、隙間５１が谷になるような曲がり方をするようになる。他の境界６２〜６４についても同様であり、袋全体として蛇腹状に曲がるようになる。【選択図】図１
2007230635.tif 000002
【特許請求の範囲】
【請求項１】
プラスチックフィルムを使用して形成されており、連続する複数の収納部を有する袋であって、
前記各収納部に対して連続する中央フィルムと、
この中央フィルムの正面側に、各収納部毎に分割して設けられている正面フィルムと、
前記中央フィルムの背面側に、各収納部毎に分割して設けられている背面フィルムと、
を備えており、
前記中央フィルムの両面で交互となるように、前記正面フィルム間及び背面フィルム間に隙間を形成したことを特徴とする袋。
【請求項２】
前記袋の開口側において、前記中央フィルム及び正面フィルムに対する前記背面フィルムのせり出しを形成したことを特徴とする請求項１記載の袋。
【請求項３】
請求項１記載の袋の製造方法であって、
正面用ロールフィルム及び背面用ロールフィルムをそれぞれカットして各収納部毎に分割するとともに、かつ、前記隙間を形成する工程，
この工程によってカットされた正面用ロールフィルム及び背面用ロールフィルムに、中央用ロールフィルムを重ねて、前記収納部を形成するための熱溶着及び冷却を行う工程，
を含むことを特徴とする袋の製造方法。
【請求項４】
請求項２記載の袋の製造方法であって、
正面用ロールフィルム及び背面用ロールフィルムをそれぞれカットして各収納部毎に分割するとともに、かつ、前記隙間を形成する工程，
この工程によってカットされた正面用ロールフィルム及び背面用ロールフィルムに、中央用ロールフィルムを重ねて、前記収納部を形成するための熱溶着及び冷却を行う工程，
この工程によって得られたフィルムに、前記せり出しを形成する工程，
を含むことを特徴とする袋の製造方法。
【請求項５】
前記隙間を形成する際に生ずる不要なフィルムを巻き取る工程を含むことを特徴とする請求項３又は４記載の袋の製造方法。
【請求項６】
請求項１記載の袋の製造装置であって、
正面用ロールフィルム及び背面用ロールフィルムをそれぞれカットして各収納部毎に分割するとともに、かつ、前記隙間を形成するカット手段，
このカット手段によってカットされた正面用ロールフィルム及び背面用ロールフィルムに、中央用ロールフィルムを重ねて、前記収納部を形成するための熱溶着及び冷却を行う熱溶着・冷却手段，
を含むことを特徴とする袋の製造装置。
【請求項７】
請求項２記載の袋の製造装置であって、
正面用ロールフィルム及び背面用ロールフィルムをそれぞれカットして各収納部毎に分割するとともに、かつ、前記隙間を形成するカット手段，
このカット手段によってカットされた正面用ロールフィルム及び背面用ロールフィルムに、中央用ロールフィルムを重ねて、前記収納部を形成するための熱溶着及び冷却を行う熱溶着・冷却手段，
この熱溶着・冷却手段によって得られたフィルムに、前記せり出しを形成するせり出し形成手段，
を含むことを特徴とする袋の製造装置。
【請求項８】
前記隙間を形成する際に生ずる不要なフィルムを巻き取るフィルム巻き取り手段を含むことを特徴とする請求項６又は７記載の袋の製造装置。
【発明の詳細な説明】
【技術分野】
【０００１】
本発明は、複数のプラスチックのフィルムないしシート（以下「フィルム」と総称する）を重ね合わせて形成した袋，その製造方法及び製造装置に関し、更に具体的には、連続した収納部を有する袋及びその製造技術の改良に関するものである。
【背景技術】
【０００２】
複数の収納部を有する袋を折り畳むようにした背景技術としては、例えば、下記特許文献１記載のディスク収納ケースがある。これは、紙を使用して容易に焼却廃棄することを可能とし、かつ、複数枚のディスクを簡単に収納することを可能とすることを目的としたもので、ほぼ矩形状の複数の収納ベース部と、該複数の収納ベース部を上側と下側とからはさむ関係に配置された複数の折り返し部とを有している１枚の板紙からなるブランクで構成されており、前記複数の折り返し部は、前記複数の収納ベース部の内面または外面に折り返されて前記複数の収納ベース部との間にディスク収納用のポケットを形成し、かつ、前記複数の収納ベース部を蛇腹状に折り畳んで形成したことを特徴とする。
【特許文献１】特開２００１−１２２３７４公報
【発明の開示】
【発明が解決しようとする課題】
【０００３】
上述したディスク収納ケースは、紙で形成されているため、一度折り畳むと折り目がつく。しかし、プラスチックの場合は、折り目をつけることが困難な場合があり、無理に折り目をつけると破損する恐れもある。また、最近は、複数のカードを使用するゲーム機があり、複数のカードを同時にゲーム機に読み込ませる必要があるが、複数のカード収納部が蛇腹状に折り畳まれていれば、それを開くだけで瞬時に複数のカードをゲーム機に読み込ませることが可能となり、大変便利である。
【０００４】
本発明は、以上の点に着目したもので、複数の収納部を蛇腹状に折り畳むことができるプラスチックのフィルムを使用した袋，その製造方法，その製造装置を提供することを目的とする。
【課題を解決するための手段】
【０００５】
前記目的を達成するため、本発明の袋は、プラスチックフィルムを使用して形成されており、連続する複数の収納部を有する袋であって、前記各収納部に対して連続する中央フィルムと、この中央フィルムの正面側に、各収納部毎に分割して設けられている正面フィルムと、前記中央フィルムの背面側に、各収納部毎に分割して設けられている背面フィルムと、を備えており、前記中央フィルムの両面で交互となるように、前記正面フィルム間及び背面フィルム間に隙間を形成したことを特徴とする。主要な形態の一つは、前記袋の開口側において、前記中央フィルム及び正面フィルムに対する前記背面フィルムのせり出しを形成したことを特徴とする。
【０００６】
本発明の袋の製造方法は、正面用ロールフィルム及び背面用ロールフィルムをそれぞれカットして各収納部毎に分割するとともに、かつ、前記隙間を形成する工程，この工程によってカットされた正面用ロールフィルム及び背面用ロールフィルムに、中央用ロールフィルムを重ねて、前記収納部を形成するための熱溶着及び冷却を行う工程，を含むことを特徴とする。袋の製造方法の他の発明は、正面用ロールフィルム及び背面用ロールフィルムをそれぞれカットして各収納部毎に分割するとともに、かつ、前記隙間を形成する工程，この工程によってカットされた正面用ロールフィルム及び背面用ロールフィルムに、中央用ロールフィルムを重ねて、前記収納部を形成するための熱溶着及び冷却を行う工程，この工程によって得られたフィルムに、前記せり出しを形成する工程，を含むことを特徴とする。主要な形態の一つは、前記隙間を形成する際に生ずる不要なフィルムを巻き取る工程を含むことを特徴とする。
【０００７】
本発明の袋の製造装置は、正面用ロールフィルム及び背面用ロールフィルムをそれぞれカットして各収納部毎に分割するとともに、かつ、前記隙間を形成するカット手段，このカット手段によってカットされた正面用ロールフィルム及び背面用ロールフィルムに、中央用ロールフィルムを重ねて、前記収納部を形成するための熱溶着及び冷却を行う熱溶着・冷却手段，を含むことを特徴とする。袋の製造装置の他の発明は、正面用ロールフィルム及び背面用ロールフィルムをそれぞれカットして各収納部毎に分割するとともに、かつ、前記隙間を形成するカット手段，このカット手段によってカットされた正面用ロールフィルム及び背面用ロールフィルムに、中央用ロールフィルムを重ねて、前記収納部を形成するための熱溶着及び冷却を行う熱溶着・冷却手段，この熱溶着・冷却手段によって得られたフィルムに、前記せり出しを形成するせり出し形成手段，を含むことを特徴とする。主要な形態の一つは、前記隙間を形成する際に生ずる不要なフィルムを巻き取るフィルム巻き取り手段を含むことを特徴とする。本発明の前記及び他の目的，特徴，利点は、以下の詳細な説明及び添付図面から明瞭になろう。
【発明の効果】
【０００８】
本発明によれば、複数の収納部に対して連続する中央フィルムの正面側に各収納部毎に分割して正面フィルムを重ね、背面側に各収納部毎に分割して背面フィルムを重ね、かつ、前記中央フィルムの両面で交互となるように、前記正面フィルム間及び背面フィルム間に隙間を形成することとしたので、交互に反対側に折り曲がるようになり、複数の収納部を蛇腹状に折り畳むことができるという効果が得られる。
【発明を実施するための最良の形態】
【０００９】
以下、本発明を実施するための最良の形態を、実施例に基づいて詳細に説明する。
【実施例１】
【００１０】
図１には、実施例１の袋が示されている。同図(A)は平面図，同図(B)は(A)の＃Ａ−＃Ａ線に沿って矢印方向に見た断面図，同図(C)は折り曲げ時の様子を示す断面図である。これらの図に示すように、本実施例の袋１０は、５つのカードの収納部１１，１２，１３，１４，１５を備えており、ポリプロピレン，ポリエチレンなどのプラスチックフィルムによる３層構造となっている。これらのうち、中央のフィルム２０は、すべての収納部１１〜１５に共通に連続している。正面側（図１(B)の上側）のフィルム（以下「正面フィルム」という）３０と、背面側（図１(B)の下側）のフィルム（以下「背面フィルム」という）４０は、収納部１１〜１５毎に分割されている。すなわち、収納部１１は、中央フィルム２０と、正面フィルム３１と、背面フィルム４１との熱溶着によって形成されている。同様に、収納部１２は、中央フィルム２０と、正面フィルム３２と、背面フィルム４２との熱溶着によって形成されている。収納部１３は、中央フィルム２０と、正面フィルム３３と、背面フィルム４３との熱溶着によって形成されている。収納部１４，１５についても同様である。熱溶着した部分を、太点線２１〜２５で示す。
【００１１】
背面フィルム４１〜４５は、中央フィルム２０及び正面フィルム３１〜３５よりも高くせり出してリップが形成されており、収納部１１〜１５にカードを入れやすく工夫されている。各収納部１１〜１５は、いずれも３層構造となっているため、カードを入れることができるポケットは２つ存在する。例えば、収納部１１は、正面フィルム３１と中央フィルム２０とによって形成されたポケットと、中央フィルム２０と背面フィルム４１とによって形成されたポケットは２つあり、カードはいずれに収納してもよい。しかし、背面フィルム４１が他のフィルム２０，３１よりもせり出しているので、中央フィルム２０と背面フィルム４１とによって形成されたポケットにカードを収納するのが便利である。他の収納部１２〜１５についても同様である。
【００１２】
ところで、本実施例では、正面フィルムと背面フィルムに、交互に隙間が形成されている。詳述すると、背面フィルム４１，４２間に隙間５１が形成されており、正面フィルム３２，３３間に隙間５２が形成されており、背面フィルム４３，４４間に隙間５３が形成されており、正面フィルム３４，３５間に隙間５４が形成されている。他の正面フィルム及び背面フィルムの隣接部分は、いずれも接触するか、ほとんど隙間がないように形成されている。
【００１３】
従って、各収納部１１〜１５の境界６１〜６４に着目すると、隙間５１〜５４が中央フィルム２０の表裏において交互に形成されていることになる。境界６１〜６４では、表裏の一方でフィルムが密になっており、他方で隙間５１〜５４が形成されていることになり、隙間５１〜５４が谷になるような曲がり方をするようになる。例えば、境界６１に着目すると、表側は正面フィルム３１，３２が密になっており、裏側は背面フィルム４１，４２間に隙間５１が形成されている。このため、図１(C)に示す方向には曲がりやすい。逆の方向に曲げようとすると、正面フィルム３１，３２の端部が競るようになり、曲がりにくい。他の境界６２〜６４についても同様である。従って、袋全体としては、図１(C)に示すように、蛇腹状に曲がるようになる。
【００１４】
従って、ゲーム用のカード（図示せず）を袋１０の収納部１１〜１５に収納し、更に、蛇腹状に折り畳んで持ち運ぶことができる。また、ゲーム機にカードを読み込ませるときは、折り畳んだ袋１０を即座に開いてゲーム機にセットすることができ、非常に使い勝手がよい。
【実施例２】
【００１５】
次に、図２〜図４を参照しながら、上述した袋１０の製造方法及び製造装置について説明する。図２には、製造装置の主要構成が示されている。本実施例の製造装置は、いわゆる製袋機として市販されているものを基本とする構成となっている。図２において、ロールとしては、中央用フィルムロール２００，正面用フィルムロール３００，背面用フィルムロール４００がそれぞれ用意される。これらの各ロール２００，３００，４００の幅（図２の紙面垂直方向の長さ）は基本的に同一であり、これが図１に示した袋１０の幅（図１(A)の左右方向の長さ）に相当する。
【００１６】
各ロール２００，３００，４００から引き出されたロールフィルム２０２，３０２，４０２のうち、まず、中央用ロールフィルム２０２は、案内ローラ２０４で案内されて、そのまま送られる。
【００１７】
次に、正面用ロールフィルム３０２は、案内ローラ３０４で案内されてカッター３０６に送られる。カッター３０６では、正面用ロールフィルム３０２に対して、図３(A)に示すようなカット（裁断）３２１〜３２４が施される。これにより、正面用ロールフィルム３０２は各収納部毎に分割され、図１に示した正面フィルム３１〜３５に対応するフィルムがそれぞれ形成される。なお、カット３２２，３２４は、上述した隙間５２，５４に対応する所定の幅を持ったカットであり、これによって生ずる不要なフィルム３３０は、案内ローラ３０８を介してロール３１０に巻き取られる。
【００１８】
一方、背面用ロールフィルム４０２は、案内ローラ４０４で案内されてカッター４０６に送られる。カッター４０６では、背面用ロールフィルム４０２に対して、図３(B)に示すようなカット（裁断）４２１〜４２４が施される。これにより、背面用ロールフィルム４０２は各収納部毎に分割され、図１に示した背面フィルム４１〜４５に対応するフィルムがそれぞれ形成される。なお、カット４２１，４２３は、上述した隙間５１，５３に対応する所定の幅を持ったカットであり、これによって生ずる不要なフィルム４３０は、案内ローラ４０８を介してロール４１０に巻き取られる。
【００１９】
以上のようにして必要なカットが施された正面用ロールフィルム３０２，背面用ロールフィルム４０２は、中央用ロールフィルム２０２とともに案内ローラ１００に送られ、ここで３つのフィルムが重ねられる。そして、熱溶着部１０２でポケット状の熱溶着が施され（図１の太点線２１〜２５参照）、高温になったフィルムの冷却部１０４で冷却が行われる。これら熱溶着及び冷却の各工程は、公知の製袋機と同様である。
【００２０】
冷却後のフィルムに対しては、カッター１０６，１０８によるカットが行われる。図４にはその様子が示されており、(A)は平面図，(B)は(A)の＃Ｂ−＃Ｂ線に沿って矢印方向に見た断面である。まず、カッター１０６は、例えば抜き型となっており、３層のフィルムのうち、正面用ロールフィルム３０２と中央用ロールフィルム２０２の一部が抜き取られて切除部５００が形成される。これにより、図１に示したように、袋１０の収納部１１〜１５のカード出し入れ口において背面フィルム４１〜４５のせり出し（リップ）が形成される。切除したフィルム５０２は、例えば吸引装置で吸引される。次に、カッター１０８により、図４(B)に矢印５１０で示す位置で幅方向（図４(A)の上下方向）の切断が行われ、図１に示した袋１０が得られる。
【００２１】
なお、本発明は、上述した実施例に限定されるものではなく、本発明の要旨を逸脱しない範囲内において種々変更を加え得る。例えば、以下のものも含まれる。
(1)前記実施例では、５つの収納部が連続した袋の例を示したが、収納部の数は必要に応じて増減してよい。各部の形状や寸法も、同様の作用を得ることができる範囲内で設計変更してよい。
(2)使用するフィルムとしては、透明なもの，着色したもの，文字などを印刷したもの，ラミネートしたものなど、各種のものを使用してよく、その組合わせも任意である。例えば、中央フィルムと表面フィルムは透明，背面フィルムは着色とするという具合である。特に、中央フィルムについては、折り畳みを容易にするためと、たたんだり，広げたりを繰り返すため、柔軟性があると好都合である。このような観点から、中央フィルムとして、他のフィルムより薄いものを選ぶようにしてもよい。
(3)製造方法についても、同様に公知の技術を適用してよい。例えば、前記実施例では、一つの正面用ロールフィルム３０２をカットして複数の正面フィルム３１〜３５を得たが、正面フィルム３１〜３５用のロールフィルムを予め用意することを妨げるものではない。また、見栄えをよくしたり寸法を整えるためのカットを施すようにしてもよい。更に、前記実施例で示した抜き型は、長方形であるが、湾曲した抜き型を使用することで、収納部３１〜３５のカード出し入れ口に湾曲を形成するなど、多様なデザインとしてよい。
(4)本発明の適用対象としては、ゲーム機用のカード入れが好適な例であるが、ハガキ，名刺，写真など、各種の用途に適用可能である。
【産業上の利用可能性】
【００２２】
本発明によれば、複数の収納部が蛇腹状に折り畳めるので、ゲーム用のカード入れなどに好適である。
【図面の簡単な説明】
【００２３】
【図１】本発明の一実施例の袋を示す図である。(A)は平面図，(B)は(A)の＃Ａ−＃Ａ線に沿って矢印方向に見た断面図，(C)は折り曲げたときの断面図である。
【図２】前記実施例の袋の製造装置の一例を示す構成図である。
【図３】前記図２の実施例におけるカッター３０６，４０６の動作を示す説明図である。(A)はカッター３０６の動作を示し、(B)はカッター４０６の動作を示す。
【図４】前記図２の実施例におけるカッター１０６，１０８の動作を示す説明図である。(A)は平面図、(B)は(A)の＃Ｂ−＃Ｂ線に沿って矢印方向に見た断面図である。
【符号の説明】
【００２４】
１０：袋
１１〜１５：収納部
２０：中央フィルム
２１〜２５：太点線
３０〜３５：正面フィルム
４０〜４５：背面フィルム
５１〜５４：隙間
６１〜６４：境界
１００：案内ローラ
１０２：熱溶着部
１０４：冷却部
１０６，１０８：カッター
２００，３００，４００：ロール
２０２，３０２，４０２：ロールフィルム
２０４，３０４，３０８，４０４，４０８：案内ローラ
３０６，４０６：カッター
３１０，４１０：ロール
３２１，３２４，４２１〜４２４：カット
３３０，４３０：フィルム
５００：切除部
５０２：フィルム
【図１】
2007230635.tif 000003
【図２】
2007230635.tif 000004
【図３】
2007230635.tif 000005
【図４】
2007230635.tif 000006